(57)【要約】【課題】  左右テンプルの間隔が装用者の頭幅に相対的に広くても簡単に装用者の頭幅に適合するようにフィッティング調整を行うことができ、しかも、意匠性にも優れた眼鏡フレームにおけるモダン角度調整機構を提供すること。【解決手段】  テンプル２・２の各々を、サイドバー21と、このサイドバー21の持出端部21ａに連結されて装用者の耳付根部周囲付近に掛合し左右両側から側頭部をグリップするモダン22とから構成し、かつ、前記サイドバーの持出端部21ａとモダン22とのカプリング部Ｃにおいては、持出端部21ａとモダン22の受口22ａとを角度調節できるように相互の嵌合形状を成形して、装用者の耳付根部周囲付近の側頭部傾斜に合わせて調整可能な構造とした。【選択図】  図１
2008051842.tif 000002
【特許請求の範囲】
【請求項１】
装用者の視力を矯正し又は網膜を保護するためのレンズが装着可能なフロント枠１と、このフロント枠１の両側部から後方へ持出して配設され、当該装用者の左右側頭部を挟着することによってフロント枠１を装用者の眼前位置に保持する一対のテンプル２・２とを少なくとも備えて構成される眼鏡フレームにおいて、
前記テンプル２・２の各々は、サイドバー21と、このサイドバー21の持出端部21ａに連結されて装用者の耳付根部周囲付近に掛合し左右両側から側頭部をグリップするモダン22とから成り、かつ、前記サイドバーの持出端部21ａとモダン22とのカプリング部Ｃにおいては、持出端部21ａとモダン22の受口22ａとを角度調節できるように相互の嵌合形状を成形して、装用者の耳付根部周囲付近の側頭部傾斜に合わせて調整可能にしたことを特徴とする眼鏡フレームにおけるモダン角度調整機構。
【請求項２】
テンプル２のサイドバー21の持出端部21ａをホゾ形に成形し、当該サイドバーに対する軸回角度を異にするホゾ形持出端部21ａを有する複数種のサイドバー21・21…を準備して揃えておき、これらのサイドバー21・21…の中から選択されるサイドバー21の着脱交換により装用者の側頭部にフィットするテンプル２を構成可能であることを特徴とする請求項１記載の眼鏡フレームにおけるモダン角度調整機構。
【請求項３】
テンプル２のモダン22の受口22ａに、サイドバー21の持出端部21ａの基部を嵌入可能な嵌入孔22ｂが形成されていることを特徴とする請求項１または２に記載の眼鏡フレームにおけるモダン角度調整機構。
【請求項４】
装用者の視力を矯正し又は網膜を保護するためのレンズが装着可能なフロント枠１と、
このフロント枠１の両側部から後方へ持出して配設され、当該装用者の左右側頭部を挟着することによってフロント枠１を装用者の眼前位置に保持する一対のテンプル２・２とを少なくとも備えて構成される眼鏡フレームにおいて、
前記テンプル２・２の各々は、サイドバー21と、このサイドバー21後端に連結されて装用者の耳付根部周囲付近に掛合し左右両側から側頭部をグリップするモダン22とから成り、かつ、前記サイドバーとモダン22とのカプリング部Ｃは、モダン22の繋ぎ端部22ｃと、サイドバー後端に形成された差込口21ｂとを角度調節できるように相互の嵌合形状を成形して、装用者の耳付根部周囲付近の側頭部傾斜に合わせて調整可能にしたことを特徴とする眼鏡フレームにおけるモダン角度調整機構。
【請求項５】
テンプル２のモダン22の繋ぎ端部22ｃをホゾ形に成形し、当該モダンに対する軸回角度を異にするホゾ形繋ぎ端部22ｃを有する複数種のモダン22・22…を準備して揃えておき、これらのモダン22・22…の中から選択されるモダン22の着脱交換により装用者の側頭部にフィットするテンプル２を構成可能であることを特徴とする請求項４記載の眼鏡フレームにおけるモダン角度調整機構。
【発明の詳細な説明】
【技術分野】
【０００１】
本発明は、眼鏡フレームの改良、詳しくは、左右テンプルの間隔が装用者の頭幅に相対的に広くても簡単に装用者の頭幅に適合するようにフィッティング調整を行うことが可能で、しかも、意匠性にも優れた眼鏡フレームにおけるモダン角度調整機構に関するものである。
【背景技術】
【０００２】
周知のとおり、眼鏡フレームにおいては、耳付け根に掛着するモダンをテンプル後部に配設し、このモダンを眼鏡フレームのフィッティングの際に側頭部の傾斜に合わせて屈曲変形することにより、フィット感を向上させている。
【０００３】
そして、従来における眼鏡フレームのテンプル構造としては、テンプル後部に延出した芯金を、モダンの中空部に差し込んで構成したものがよく知られている（例えば、特許文献１参照）。
【０００４】
しかしながら、上記従来の眼鏡フレームにおいては、モダンを側頭部形状に合った角度にするために、モダンを熱湯で加熱しながら熟練者が平作用で屈曲させながら調整していた。このため、客を待たせる時間も長く、しかも、高度な技巧も必要であって、簡単にフィッティングを行うことができなかった。
【０００５】
そして特に、＜特許文献２＞にあるような、テンプルに超弾性合金を使用した眼鏡フレームにおいては、使用中にフィッティングした形状が経時的に変化して狂いが生じてしまうという問題があった。
【０００６】
加えて、従来の眼鏡フレームにおいては、テンプル構造によってモダンの形態が限定されてしまっていたことから、デザインの自由度に物足りない面があった。
【特許文献１】特開平７−１５５２１６公報（第２−３頁、第１〜３図）
【特許文献２】特公平７−５６５３７号公報（請求項１、請求項２）
【発明の開示】
【発明が解決しようとする課題】
【０００７】
本発明は、上記の如き問題に鑑みて為されたものであり、その目的とするところは、左右テンプルの間隔が装用者の頭幅に相対的に広くても簡単に装用者の頭幅に適合するようにフィッティング調整を行うことができ、しかも、意匠性にも優れた眼鏡フレームにおけるモダン角度調整機構を提供することにある。
【課題を解決するための手段】
【０００８】
本発明者が、上記課題を解決するために採用した手段を添付図面を参照して説明すれば次のとおりである。
【０００９】
即ち、本発明は、装用者の視力を矯正し又は網膜を保護するためのレンズが装着可能なフロント枠１と、このフロント枠１の両側部から後方へ持出して配設され、当該装用者の左右側頭部を挟着することによってフロント枠１を装用者の眼前位置に保持する一対のテンプル２・２とを少なくとも備えて構成される眼鏡フレームにおいて、
前記テンプル２・２の各々は、サイドバー21と、このサイドバー21の持出端部21ａに連結されて装用者の耳付根部周囲付近に掛合し左右両側から側頭部をグリップするモダン22とから成り、かつ、前記サイドバーの持出端部21ａとモダン22とのカプリング部Ｃにおいては、持出端部21ａとモダン22の受口22ａとを角度調節できるように相互の嵌合形状を成形して、装用者の耳付根部周囲付近の側頭部傾斜に合わせて調整可能な構造とした点に特徴がある。
【００１０】
また、本発明においては、上記課題を解決するために、必要に応じて上記手段に加え、テンプル２のサイドバー21の持出端部21ａをホゾ形に成形し、当該サイドバーに対する軸回角度を異にするホゾ形持出端部21ａを有する複数種のサイドバー21・21…を準備して揃えておき、これらのサイドバー21・21…の中から選択されるサイドバー21の着脱交換により装用者の側頭部にフィットするテンプル２を構成可能にするという技術的手段を採用することができる。
【００１１】
また、本発明においては、上記課題を解決するために、必要に応じて上記手段に加え、テンプル２のモダン22の受口22ａに、サイドバー21の持出端部21ａの基部を嵌入可能な嵌入孔22ｂを形成するという技術的手段を採用することができる。
【００１２】
また、本発明においては、上記課題を解決するために、必要に応じて上記手段に加え、装用者の視力を矯正し又は網膜を保護するためのレンズが装着可能なフロント枠１と、
このフロント枠１の両側部から後方へ持出して配設され、当該装用者の左右側頭部を挟着することによってフロント枠１を装用者の眼前位置に保持する一対のテンプル２・２とを少なくとも備えて構成される眼鏡フレームにおいて、
前記テンプル２・２の各々は、サイドバー21と、このサイドバー21後端に連結されて装用者の耳付根部周囲付近に掛合し左右両側から側頭部をグリップするモダン22とから成り、かつ、前記サイドバーとモダン22とのカプリング部Ｃは、モダン22の繋ぎ端部22ｃと、サイドバー後端に形成された差込口21ｂとを角度調節できるように相互の嵌合形状を成形して、装用者の耳付根部周囲付近の側頭部傾斜に合わせて調整可能にするという技術的手段を採用することができる。
【００１３】
また、本発明においては、上記課題を解決するために、必要に応じて上記手段に加え、テンプル２のモダン22の繋ぎ端部22ｃをホゾ形に成形し、当該モダンに対する軸回角度を異にするホゾ形繋ぎ端部22ｃを有する複数種のモダン22・22…を準備して揃えておき、これらのモダン22・22…の中から選択されるモダン22の着脱交換により装用者の側頭部にフィットするテンプル２を構成可能にするという技術的手段を採用することができる。
【発明の効果】
【００１４】
本発明では、テンプルの各々を、サイドバーと、このサイドバーの持出端部に連結されて装用者の耳付根部周囲付近に掛合し左右両側から側頭部をグリップするモダンとから構成し、更に、サイドバーの持出端部とモダンとのカプリング部においては、持出端部とモダンの受口とを角度調節できるように相互の嵌合形状を成形することによって、装用者の頭部形状に合わせて調整が可能な眼鏡フレームのモダン角度調整機構を実現した。
【００１５】
そして、眼鏡フレームのモダン角度のフィッティング作業は、モダンを着脱交換して行うだけでよいため、高度な技巧も必要なく簡単に調整を行うことが可能となり、特に、モダン角度の調整が困難な超弾性合金を素材とする眼鏡フレームに好適である。
【００１６】
更に、別部材で作製したサイドバーとモダンの端部を嵌着してテンプルを構成したことから、モダンはサイドバーの形態に縛られることなく、自由なデザインで形成することができる。
【００１７】
したがって、本発明により、フィッティング作業における利便性に優れ、意匠性の向上も図ることができる機能的な眼鏡フレームを提供することができることから、本発明の実用的利用価値は頗る高い。
【発明を実施するための最良の形態】
【００１８】
『実施例１』
まず、本発明の実施例１について、図１から図４に基いて説明する。まず、符号１で指示するものは、フロント枠であり、符号２で指示するものは、テンプルである。
【００１９】
しかして、本実施例の構成を以下に説明する。まず、装用者の視力を矯正し又は網膜を保護するためのレンズを装着可能なフロント枠１の両端部各々に対して、一対のテンプル２・２を後方へ持出して配設し、このテンプル２・２で装用者の左右側頭部を挟着してフロント枠１を装用者の眼前位置に保持できるようにした（図１、図２参照）。
【００２０】
具体的には、フロント枠１及びテンプル２のサイドバー21は、メタルフレーム形態に構成し、一対のテンプル２・２のサイドバー21・21前端とフロント枠１両端に固着された左右のヨロイ部11・11後端とを各々ヒンジ連結して作製した。
【００２１】
そして、テンプル２・２各々に関しては、装用者の耳付根部の周囲付近に掛合し左右両側から側頭部をグリップするモダン22を、サイドバー21の持出端部21ａに連結して作製した。
【００２２】
加えて、テンプル２のサイドバー21とモダン22においては、サイドバー21とモダン22とのカプリング部Ｃを、持出端部21ａとモダン22の受口22ａとを角度調節できるように相互の嵌合形状を成形して、装用者の耳付根部周囲付近の側頭部傾斜に合わせて調節可能な構造とした（図３参照）。
【００２３】
なお、本実施例においては、テンプル２のサイドバー21の持出端部21ａをホゾ形に成形し、図４に示すように当該サイドバーに対する軸回角度を異にするホゾ形持出端部21ａを有する複数種のサイドバー21・21…を準備して揃えておき、これらのサイドバー21・21…の中から選択されるサイドバー21の着脱交換により装用者の側頭部にフィットするテンプル２を構成できるようにした。
【００２４】
上記のように構成したことにより、図１の点線で示すように左右テンプル２・２のモダン22角度を、装用者の頭部形状に合わせて調整できる眼鏡フレームのモダン角度調整機構を実現した。
【００２５】
そして、モダン角度のフィッティング作業は、テンプル２のサイドバー21又はモダン22を着脱交換して行うだけでよいため、高度な技巧も必要なく簡単に調整を行うことが可能となり、特に、モダン角度の調整が困難な超弾性合金を素材とする眼鏡フレームに好適である。
【００２６】
そして更に、別部材で作製したサイドバー21とモダン22の端部を嵌着してテンプル２を構成したことから、モダン22はサイドバー21の形態に縛られることなく、自由なデザインで形成することができる。
【００２７】
また、本実施例においては、テンプル２のサイドバー21の金属材料に加工性に優れた洋白を使用し、サイドバー21後端を切削して持出端部22を簡単に形成した。一方で、モダン22の受口22ａには、サイドバー21の持出端部21ａの基部を嵌入可能な嵌入孔22ｂを形成してサイドバー21とモダン22との接続状態をより安定させた。
【００２８】
また、テンプル２のモダン22には、幅広の接耳部を有する樹脂板材の後部に補強線材を添設して成る意匠性、クッション性及び強度に優れた形態のものを採用した。
【００２９】
『実施例２』
本発明の第２実施形態について図５に基いて説明する。本実施例では、テンプル２におけるサイドバーとモダン22とのカプリング部Ｃを、モダン22の繋ぎ端部22ｃと、サイドバー後端に形成された差込口21ｂとを角度調節できるように相互の嵌合形状を成形して、装用者の耳付根部周囲付近の側頭部傾斜に合わせて調整できるようにした（図５参照）。
【００３０】
具体的には、テンプル２のモダン22の繋ぎ端部22ｃをホゾ形に成形し、当該モダンに対する軸回角度を異にするホゾ形繋ぎ端部22ｃを有する複数種のモダン22・22…を準備して揃えておき、これらのモダン22・22…の中から選択されるモダン22の着脱交換により装用者の側頭部にフィットするテンプル２を構成できるようにした。
【００３１】
これにより、テンプル２のモダン22を取り替えるだけで、簡単に装着者の頭部形状に適合する眼鏡フレームに調整することが可能となる。
【００３２】
『実施例３』
本発明の第３実施形態について図５に基いて説明する。本実施形態においては、テンプル２のサイドバー21の持出端部21ａを、モダン22の受口22ａに対して複数の軸回角度で差し込むことができる断面歯車状のホゾ形で作製した（図６参照）。
【００３３】
これによって、テンプル２の凹凸部の軸回角度が異なる複数種のサイドバー21・21…又はモダン22・22…を準備しておく必要がないため、生産コストの低減化を図ることができる。
【００３４】
本発明は、概ね上記のように構成されるが、図示の実施形態に限定されるものでは決してなく、「特許請求の範囲」の記載内において種々の変更が可能であって、例えば、テンプル２の材料は、高強度のβ−チタン合金等、加工が容易であれば洋白以外の金属材料を使用してもよく、また、アセテート樹脂等の合成樹脂材料であってもよい。
【００３５】
また、テンプル２におけるサイドバーの持出端部21ａとモダン22とのカプリング部Ｃにおいては、図７に示すように受口22ａの軸回角度を異にする複数種のモダン22を準備して揃えておき、これらのモダン22・22…の中から選択されるモダン22の着脱交換により装用者の側頭部にフィットするテンプル２を構成可能としても勿論よく、何れも本発明の技術的範囲に属する。
【産業上の利用可能性】
【００３６】
最近では、デザインに加え、掛け心地の良さが眼鏡フレームに対して強く求められるようになってきており、眼鏡フレームのフィッティングの重要性は年々高まってきている。ところが、近年では、専門店以外の場所やインターネットで眼鏡を購入する需要者も増加しており、また、眼鏡専門店における高いフィッティング技術を持った眼鏡技術者の数は充分とは云えない。
【００３７】
そのような中で、本発明の眼鏡フレームにおけるモダン角度調整機構は、意匠的な向上は勿論、満足できる装着感を得ることもでき、しかも、その調整を素早く簡単に行うことができる画期的な技術であることから、市場における需要は大きく、本発明の産業上の利用価値は非常に高いと云える。
【図面の簡単な説明】
【００３８】
【図１】本発明の実施例１における眼鏡フレームを表わす全体斜視図である。
【図２】本発明の実施例１における眼鏡フレームを表わす全体側面図である。
【図３】本発明の実施例１におけるサイドバーとモダンの接続状態を表わす説明斜視図である。
【図４】本発明の実施例１におけるサイドバー後部の持出端部を表わす部分後面図である。
【図５】本発明の実施例２におけるサイドバーとモダンを表わす部分斜視図である。
【図６】本発明の実施例３におけるサイドバーとモダンを表わす部分斜視図である。
【図７】本発明の変形例におけるモダンの受口を表わすモダンを表わす部分前面図である。
【符号の説明】
【００３９】
１  フロント枠
11  ヨロイ部
２  テンプル
21  サイドバー
21ａ  持出端部
21ｂ  差込口
22  モダン
22ａ  受口
22ｂ  嵌入孔
22ｃ  繋ぎ端部
Ｃ  カップリング部
【図１】
2008051842.tif 000003
【図２】
2008051842.tif 000004
【図３】
2008051842.tif 000005
【図４】
2008051842.tif 000006
【図５】
2008051842.tif 000007
【図６】
2008051842.tif 000008
【図７】
2008051842.tif 000009